(57)【要約】【課題】リチウムイオン電池の劣化速度をより正確に推定することを目的とする。【解決手段】蓄電量に応じてステージ構造が変化する負極を含むリチウムイオン電池の劣化速度を推定するリチウムイオン電池の劣化速度推定方法であって、前記ステージ構造に関する第１の情報を取得する第１のステップと、リチウムイオン電池の電池温度に関する第２の情報を取得する第２のステップと、前記第１の情報及び前記第２の情報から劣化速度を推定する第３のステップと、を有するリチウムイオン電池の劣化速度推定方法。【選択図】図４
2012095894.tif 000002
【特許請求の範囲】
【請求項１】
蓄電量に応じてステージ構造が変化する負極を含むリチウムイオン電池の劣化速度を推定するリチウムイオン電池の劣化速度推定方法であって、  前記ステージ構造に関する第１の情報を取得する第１のステップと、  リチウムイオン電池の電池温度に関する第２の情報を取得する第２のステップと、  前記第１の情報及び前記第２の情報から劣化速度を推定する第３のステップと、を有するリチウムイオン電池の劣化速度推定方法。
【請求項２】
各前記ステージ構造に対応するリチウムイオン電池の電圧区間、前記電池温度及び前記劣化速度の対応関係を第３の情報として予め調べておき、  前記第１のステップにおいて、リチウムイオン電池の電池電圧を前記第１の情報として取得し、  第３のステップにおいて、前記第３の情報に基づき、前記第１の情報及び前記第２の情報から劣化速度を推定することを特徴とする請求項１に記載のリチウムイオン電池の劣化速度推定方法。
【請求項３】
前記第３のステップで推定された劣化速度から劣化量を算出する第４のステップと、  リチウムイオン電池の劣化量を評価する評価パラメータがリミット値を超えるまで、前記第４のステップで得られる劣化量を順次累積する第５のステップと、  前記第５のステップで得られた累積劣化量に基づき前記第３の情報における前記電圧区間を補正する第６のステップと、を有する請求項２に記載のリチウムイオン電池の劣化速度推定方法。
【請求項４】
前記第３のステップにおいて、前記劣化速度を、予め定められた設定時間内に連続的に算出し、  前記第４のステップにおいて、これらの劣化速度の平均速度に前記設定時間を乗じた値を前記劣化量として算出することを特徴とする請求項３に記載のリチウムイオン電池の劣化速度推定方法。
【請求項５】
前記負極は、黒鉛系であることを特徴とする請求項２乃至４のうちいずれか一つに記載のリチウムイオン電池の劣化速度推定方法。
【請求項６】
蓄電量に応じてステージ構造が変化する負極を含むリチウムイオン電池の劣化速度を推定するリチウムイオン電池の劣化速度推定装置であって、  前記ステージ構造に関する第１の情報を取得する第１の取得部と、  リチウムイオン電池の電池温度に関する第２の情報を取得する第２の取得部と、  前記第１の情報及び前記第２の情報から劣化速度を推定するコントローラと、を有するリチウムイオン電池の劣化速度推定装置。
【請求項７】
各前記ステージ構造に対応するリチウムイオン電池の電圧区間、前記電池温度及び前記劣化速度の対応関係を示す第３の情報を記憶する記憶部を有し、  前記第１の取得部は、前記第１の情報としてリチウムイオン電池の電池電圧を取得し、  前記コントローラは、前記第３の情報に基づき、前記第１の情報及び前記第２の情報から劣化速度を推定することを特徴とする請求項６に記載のリチウムイオン電池の劣化速度推定装置。
【請求項８】
前記記憶部には、推定された劣化速度から算出される劣化量を順次累積した累積劣化量が記憶され、  前記コントローラは、リチウムイオン電池の劣化量を評価する評価パラメータがリミット値を超えるまで、前記記憶部に記憶される前記累積劣化量を更新し、更新後の前記累積劣化量に基づき前記第３の情報における前記電池電圧の区間を補正することを特徴とする請求項７に記載のリチウムイオン電池の劣化速度推定装置。
【請求項９】
前記コントローラは、前記劣化速度を、予め定められた設定時間内に連続的に算出し、これらの劣化速度の平均速度に前記設定時間を乗じた値を前記劣化量として算出することを特徴とする請求項８に記載のリチウムイオン電池の劣化速度推定装置。
【請求項１０】
前記負極は、黒鉛系であることを特徴とする請求項７乃至９のうちいずれか一つに記載のリチウムイオン電池の劣化速度推定装置。
【発明の詳細な説明】
【技術分野】
【０００１】  本発明は、リチウムイオン電池の劣化速度を推定する推定方法等に関するものである。
【背景技術】
【０００２】  電気自動車、ハイブリッド自動車などの駆動用または補助電源として、リチウムイオン電池からなる蓄電装置が知られている。リチウムイオン電池は、充放電を繰り返すことにより電池容量が低下し、劣化する。リチウムイオン電池の劣化速度はアレニウスの法則に従うため、温度が高くなることによって劣化速度が増速する。【０００３】  特許文献１は、リチウムイオン電池を一定の電力値で連続的に放電及び充電させる診断モードにおいて取得された前記リチウムイオン電池の電圧変化に関する情報に基づき前記リチウムイオン電池の劣化状態を判定するリチウムイオン電池の劣化判定方法を開示する。
【先行技術文献】
【特許文献】
【０００４】
【特許文献１】特開２０１０−０６０４０８号公報
【発明の概要】
【発明が解決しようとする課題】
【０００５】  しかしながら、リチウムイオン電池の温度情報だけでは、劣化速度を正確に推定することができない。そこで、本願発明は、リチウムイオン電池の劣化速度をより正確に推定することを目的とする。
【課題を解決するための手段】
【０００６】  上記課題を解決するために、本願発明に係るリチウムイオン電池の劣化速度推定方法は、（１）蓄電量に応じてステージ構造が変化する負極を含むリチウムイオン電池の劣化速度を推定するリチウムイオン電池の劣化速度推定方法であって、前記ステージ構造に関する第１の情報を取得する第１のステップと、リチウムイオン電池の電池温度に関する第２の情報を取得する第２のステップと、前記第１の情報及び前記第２の情報から劣化速度を推定する第３のステップと、を有する。【０００７】  （２）上記（１）の構成において、各前記ステージ構造に対応するリチウムイオン電池の電圧区間、前記電池温度及び前記劣化速度の対応関係を第３の情報として予め調べておき、前記第１のステップにおいて、リチウムイオン電池の電池電圧を前記第１の情報として取得し、第３のステップにおいて、前記第３の情報に基づき、前記第１の情報及び前記第２の情報から劣化速度を推定することができる。（２）の構成によれば、負極のステージ構造を電池電圧から容易に推定することができる。これにより、簡易な方法で劣化速度の推定精度を向上させることができる。【０００８】  （３）上記（２）の構成において、前記第３のステップで推定された劣化速度から劣化量を算出する第４のステップと、リチウムイオン電池の劣化量を評価する評価パラメータがリミット値を超えるまで、前記第４のステップで得られる劣化量を順次累積する第５のステップと、前記第５のステップで得られた累積劣化量に基づき前記第３の情報における前記電圧区間を補正する第６のステップと、を有する。電池電圧及び負極のステージ構造の関係は、リチウムイオン電池が劣化することにより変わるため、累積劣化量に基づき第３の情報を補正することにより、劣化速度の推定精度をさらに向上させることができる。【０００９】  （４）上記（３）の構成において、前記第３のステップにおいて、前記劣化速度を、予め定められた設定時間内に連続的に算出し、前記第４のステップにおいて、これらの劣化速度の平均速度に前記設定時間を乗じた値を前記劣化量として算出することができる。【００１０】  （５）上記（２）〜（４）の構成において、黒鉛系の負極を用いることができる。黒鉛系の負極は、ステージ構造の変化が明確であるため、前記第３の情報を簡単に得ることができる。【００１１】  上記課題を解決するために、本願発明に係るリチウムイオン電池の劣化速度推定装置は、  （６）蓄電量に応じてステージ構造が変化する負極を含むリチウムイオン電池の劣化速度を推定するリチウムイオン電池の劣化速度推定装置であって、前記ステージ構造に関する第１の情報を取得する第１の取得部と、リチウムイオン電池の電池温度に関する第２の情報を取得する第２の取得部と、前記第１の情報及び前記第２の情報から劣化速度を推定するコントローラと、を有する。【００１２】  （７）上記（６）の構成において、各前記ステージ構造に対応するリチウムイオン電池の電圧区間、前記電池温度及び前記劣化速度の対応関係を示す第３の情報を記憶する記憶部を有し、前記第１の取得部は、前記第１の情報としてリチウムイオン電池の電池電圧を取得し、前記コントローラは、前記第３の情報に基づき、前記第１��情報及び前記第２の情報から劣化速度を推定することができる。（７）の構成によれば、負極のステージ構造を電池電圧から容易に推定することができる。これにより、簡易な方法で劣化速度の推定精度を向上させることができる。【００１３】  （８）上記（７）の構成において、前記記憶部には、推定された劣化速度から算出される劣化量を順次累積した累積劣化量が記憶され、前記コントローラは、リチウムイオン電池の劣化量を評価する評価パラメータがリミット値を超えるまで、前記記憶部に記憶される前記累積劣化量を更新し、更新後の前記累積劣化量に基づき前記第３の情報における前記電池電圧の区間を補正するとよい。電池電圧及び負極のステージ構造の関係は、リチウムイオン電池が劣化することにより変わるため、累積劣化量に基づき第３の情報を補正することにより、劣化速度の推定精度をさらに向上させることができる。【００１４】  （９）上記（８）の構成において、前記コントローラは、前記劣化速度を、予め定められた設定時間内に連続的に算出し、これらの劣化速度の平均速度に前記設定時間を乗じた値を前記劣化量として算出することができる。【００１５】  （１０）上記（７）〜（９）の構成において、黒鉛系の負極を用いることができる。黒鉛系の負極は、ステージ構造の変化が明確であるため、前記第３の情報を簡単に得ることができる。
【発明の効果】
【００１６】  本発明によれば、リチウムイオン電池の劣化速度をより正確に推定することができる。
【図面の簡単な説明】
【００１７】
【図１】劣化速度推定装置のブロック図である。
【図２】負極のステージ構造と電池電圧との関係を示したグラフである。
【図３】劣化速度推定情報のデータテーブルである。
【図４】電池劣化前後の状態を示す図２に対応するグラフである。
【図５】劣化速度を推定する推定方法のフローチャートである。
【図６】電池劣化前後の状態を示す図２に対応するグラフである（変形例）。
【発明を実施するための形態】
【００１８】  図１は、本実施形態に係るリチウムイオン電池の劣化速度を推定する劣化速度推定装置のブロック図である。劣化速度推定装置１は、組電池１０、電圧センサ（第１の取得部）４０Ａ〜４０Ｎ、コントローラ５０、温度センサ（第２の取得部）６０、記憶部７１及びタイマー７２を含む。組電池１０は、複数の電池ブロック１２を含み、これらの電池ブロック１２は互いに電気的に直列に接続されている。各電池ブロック１２Ａ〜１２Ｎは、複数のリチウムイオン電池１１を含み、これらのリチウムイオン電池１１は、互いに電気的に直列に接続されている。
【００１９】  組電池１０における総プラス端子及び総マイナス端子には、配線を介してインバータ２０が電気的に接続されている。インバータ２０は、モータ３０に電気的に接続されており、組電池１０の出力を用いてモータ３０を駆動する。
【００２０】  ここで、本実施形態に係る組電池１０は、車両（不図示）に搭載されており、モータ３０を駆動することにより、車両を走行させることができる。また、車両の制動時には、発電機としてのモータジェネレータ（不図示）を用いて発生させた電力を、組電池１０に充電することができる。
【００２１】  上述した車両としては、ハイブリッド自動車や電気自動車が挙げられる。ハイブリッド自動車とは、組電池１０の他に、車両を走行させるための内燃機関や燃料電池といった他の動力源を備えた車両である。また、電気自動車とは、組電池１０の出力だけを用いて走行する車両である。
【００２２】  コントローラ５０は、ＣＰＵ（Central Processing Unit）、ＭＰＵ（Micro Processing Unit）であってもよい。また、コントローラ５０は、これらのＣＰＵ、ＭＰＵに実行させることにより実現される処理の少なくとも一部を、回路的に実行するＡＳＩＣ回路を含んでも良い。
【００２３】  温度センサ６０は、コントローラ５０に接続されている。コントローラ５０は、温度センサ６０から出力される温度情報に基づき、組電池１０の温度を常時監視している。
【００２４】  また、組電池１０の配線には、電流センサ６１が接続されている。電流センサ６１は、コントローラ５０に接続されている。各電池ブロック１２Ａ〜１２Ｎにはそれぞれ、電圧センサ４０Ａ〜４０Ｎが接続されている。各電圧センサ４０Ａ〜４０Ｎは、対応する電池ブロック１２Ａ〜１２Ｎの電圧（以下、ブロック電圧という）を検出し、この検出結果をコントローラ５０に出力する。コントローラ５０は、イグニションスイッチ５１に対して電気的に接続されている。
【００２５】  記憶部７１は、リチウムイオン電池の劣化速度を推定する推定プログラム、推定された劣化速度を補正する補正プログラム及びこれらのプログラムを実行する際に必要とされる情報（例えば、電圧センサ４０及び温度センサ６０の出力値）を記憶する。記憶部７１に記憶される情報の詳細については、後述する。
【００２６】  コントローラ５０は、記憶部７１に記憶されたプログラムを図示しないメモリに読み出して、解読する。記憶部７１は、ＲＡＭ（Random Access Memory）、ＲＯＭ（Read Only Memory）、ＤＲＡＭ（Dynamic Random Access Memory）及びＳＲＡＭ（Static Random Access Memory）であってもよい。
【００２７】  本発明者は、リチウムイオン電池１１の負極のステージ構造と劣化速度との間に相関関係があることを発見した。すなわち、電池電圧が異なっていても、負極のステージ構造及び電池温度が同じである場合には、劣化速度のバラツキが非常に小さくなることを発見した。
【００２８】  図２を参照しながら、上記知見について詳細に説明する。図２は、負極のステージ構造と電池電圧との関係を示しており、未使用で劣化していないリチウムイオン電池１１を対象とした。同図において、横軸はリチウムイオン電池１１の電池容量を示し、縦軸は電位を示している。縦軸の右側の目盛は負極の電位に対応しており、左側の目盛は正極の電位及びリチウムイオン電池１１の電池電圧に対応している。リチウムイオン電池１１は下記の方法により製造した。
【００２９】  正極活物質のニッケルコバルトマンガン酸リチウムと導電材のアセチレンブラックとを、ポリフッ化ビニリデン（PVDF）とともにN−メチルピロリドン（NMP）中で混合して、ペースト状の正極用組成物を調整した。この組成物に含まれる各材料（NMPを除く）の質量比は、正極活物質が８７質量％、アセチレンブラックが１０質量％、PVDFが３質量％であった。この正極活用組成物を、正極集電体のアルミニウム箔の両面に塗布することにより、正極集電体の両面に正極活物質含有層を備えるシート状の正極（正極シート）を得た。
【００３０】  次に、得られた正極シートとグラファイトを導電箔上に塗布した負極シートとを、多孔質樹脂フィルムを挟んで対向させ、電極体を得た。得られた電極体及び非水系電解液を用いてリチウムイオン二次電池を作製した。電解液は、エチレンカーボネート（EC）、エチルメチルカーボネート（EMC）及びジメチルカーボネート（DMC）からなる混合溶媒に、支持塩を含むものを用いた。混合溶媒における混合比は、体積比率で、エチレンカーボネート（EC）：エチルメチルカーボネート（EMC）：ジメチルカーボネート（DMC）＝３：４：３とした。支持塩にはLIPF6を使用し、これが約１mol/リットルの濃度で含まれるように濃度調整した。
【００３１】  ここで、黒鉛系の負極を用いた場合、リチウムは層状構造の黒鉛の層間に吸蔵される。リチウム吸蔵黒鉛は、ある特定の層ごとにリチウムを規則的に吸蔵したステージ構造をとる。例えば、ステージｎとはリチウムが吸蔵された総同士の間にリチウムを吸蔵していない層が（n-1）層存在する状態を意味する。したがって、ｎの値はリチウムの吸蔵量に依存して変化する。なお、黒鉛系以外の負極を用いたリチウムイオン電池であっても、ステージ構造を特定できる。
【００３２】  図２を参照して、負極電位を示す曲線から延びる矢印は、負極のステージ構造が変化する境界を示しており、負極電位を示す曲線が屈曲して変化したときに、負極のステージ構造が変化する。そのため、リチウムイオン電池１１を充放電させて負極電位の変化を調べることにより、負極のステージ構造を特定することができる。本実施形態に係るリチウムイオン電池１１の負極は、蓄電量が高い側からステージ１、ステージ２及びステージ３の順序でステージ構造が変化する。
【００３３】  温度が同一であって、かつ、負極のステージ構造が同じである場合には、リチウムイオン電池１１の劣化速度は同じ（誤差を含む）であり、負極のステージ構造が変化することにより、リチウムイオン電池１１の劣化速度は変化する。したがって、各ステージ１〜３に対応する負極電位の電位区間を調べることにより、リチウムイオン電池１１の劣化速度を推定することができる。
【００３４】  しかしながら、上述の組電池１０では、ブロック電圧を測定する構成であるため、負極電位を直接測定することができない。この場合、負極電位と電池電圧との関係を予め実験或いはシミュレーションにより調べておくことにより、測定された電池電圧から負極のステージ構造を特定することができる。さらに、電池電圧、電池温度及び劣化速度の対応関係を予め実験或いはシミュレーションにより調べておくとともに、これらの情報（以下、劣化速度推定情報（第３の情報）という）を記憶部７１に記憶させておくことにより、劣化速度を正確に推定することができる。
【００３５】  すなわち、図２に図示するように、負極の各ステージ構造に対応する電池電圧の電圧区間を予め調べ、これらの電池電圧区間毎に電池温度及び劣化速度を対応付けた前記劣化速度推定情報をデータとして保持しておくことにより、劣化速度を正確に推定することができる。本実施形態における電池電圧区間は、電池電圧区間１〜３によって構成される。
【００３６】  ここで、劣化速度推定情報のデータ形式は、データテーブルであってもよい。図３は記憶部７１に記憶されるデータテーブルの一例である。本実施形態では、５℃間隔で各電池電圧区間１〜３における劣化速度を規定している。ただし、温度間隔は５℃に限定されるものではなく、例えば１℃間隔で劣化速度を規定してもよい。
【００３７】  また、劣化速度推定情報のデータ形式は、劣化速度を算出するための関数プログラムであってもよい。この場合、各電池電圧区間１〜３についてそれぞれ電池電圧及び電池温度を変数とする関数プログラムを設けるとともに、これらの関数プログラムを記憶部７１に記憶する。コントローラ５０は、関数プログラムを解読することにより、劣化速度を算出する。ここで、劣化速度及び電池温度の関係はアレニウスの法則により規定されるため、前記関数プログラムはアレニウスの法則に従ってプログラミングするとよい。
【００３８】  ここで、図２に示す負極電位は、電池容量が低下（電池が劣化）することにより右側にシフトする。図４は、図２に対応するグラフであり、電池が低下することにより負極電位が右側にシフトした状態を示す。
【００３９】  図４において、「ベース負極電位」と称する曲線は未使用のリチウムイオン電池１１の負極電位を示しており、「補正後負極電位」と称する曲線は劣化後のリチウムイオン電池１１の負極電位を示している。また、「電池電圧（劣化前）」と称する曲線は未使用のリチウムイオン電池１１の電池電圧を示しており、「電池電圧（劣化後）」と称する曲線は劣化後のリチウムイオン電池１１の電池電圧を示している。
【００４０】  「ベース負極電位」及び「補正後負極電位」の曲線を対比すると、リチウムイオン電池１１が劣化した場合、負極電位を示す曲線は形状を変えることなく右側にシフトすることがわかる。また、「電池電圧（劣化前）」及び「電池電圧（劣化後）」の曲線を対比すると、リチウムイオン電池１１が劣化した場合、電池電圧を示す曲線も変化することがわかる。したがって、リチウムイオン電池１１が劣化した場合には、負極の各シート構造に対応する電池電圧区間１〜３を補正することにより、さらに劣化速度の推定精度を向上させることができる。
【００４１】  次に、図５のフローチャートを参照しながら、電池電圧区間１〜３を補正する補正方法について説明する。本フローチャートにおいて、累積劣化量とは劣化量の累積値であり、リミット値を超えるまでに積算された劣化量の総和を意味する。総劣化量とは累積劣化量の総和を意味する。説明の便宜上、ステップＳ１０２から説明する。
【００４２】  ステップＳ１０２において、コントローラ５０は、温度センサ６０により取得される電池温度及び電圧センサ４０Ａ〜４０Ｎにより取得される電池電圧を、所定周期で記憶部７１に記憶し、さらに、タイマー７２をスタートさせる。
【００４３】  ここで、記憶部７１に記憶される電池電圧は、電圧センサ４０Ａ〜４０Ｎから出力される電圧値の総和、つまり、組電池１０の電圧値をリチウムイオン電池１１の個数で除したセル電圧値であってもよい。以下の説明では、このセル電圧値を電池電圧と称するものとする。また、当該所定周期は、後述する設計時間よりも短く、例えば、１ｓｅｃであってもよい。なお、記憶部７１には累積劣化量と、総劣化量とが記憶されている。
【００４４】  ステップＳ１０３において、コントローラ５０は、記憶部７１に記憶されたデータテーブルを参照して、ステップＳ１０２において検出された電池電圧及び電池温度に基づき、劣化速度を検索する。検索された劣化速度は、記憶部７１に順次記憶される。
【００４５】  ステップＳ１０４において、コントローラ５０は、タイマー７２によるカウント時間が予め定められた設定時間に達したか否かを判定する。ここで、設定時間は１ｈｏｕｒであってもよい。ステップＳ１０４において、カウント時間が設定時間に達した場合にはステップＳ１０５に進み、カウント時間が設定時間に達していない場合にはステップＳ１０２に戻り、設定時間が経過するまでステップＳ１０２、ステップＳ１０３の処理を繰り返す。
【００４６】  ステップＳ１０５において、コントローラ５０は、記憶部７１に蓄積された劣化速度を平均した平均劣化速度に設定時間を乗じることにより劣化量を算出する。ステップＳ１０６において、コントローラ５０は、記憶部７１に記憶された累積劣化量にステップＳ１０５で算出された劣化量を加算して、最新の累積劣化量を算出する。なお、未使用の電池を対象とした場合、直近の累積劣化量は０である。
【００４７】  ステップＳ１０７において、コントローラ５０は、ステップＳ１０６で更新した累積劣化量がリミット値よりも大きいか否かを判別する。ここでリミット値は、電池劣化量の推定精度を高める観点から適宜設定することができる。すなわち、リミット値が大きい場合には、劣化速度の推定精度が低下する。反対に、リミット値が小さい場合には、劣化速度の推定精度が向上する。リミット値は、例えば１％であってもよい。
【００４８】  ステップＳ１０７において、更新された累積劣化量がリミット値よりも小さい場合にはステップＳ１０１に進み、コントローラ５０は劣化量（累積劣化量ではない）をリセットする。ステップＳ１０７において、更新された累積劣化量がリミット値よりも大きい場合には、ステップＳ１０８に進む。
【００４９】  ステップＳ１０８において、コントローラ５０は、記憶部７１に記憶された総劣化量にステップＳ１０６で更新された累積劣化量を加算して総劣化量を更新する。ステップＳ１０９において、コントローラ５０は、更新した総劣化量に相当する容量分だけ、「ベース負極電位」を示す曲線を右側にシフトさせ、「補正後負極電位」を示す曲線を得る。
【００５０】  そして、コントローラ５０は、この「補正後負極電位」を示す曲線と劣化後の「電池電圧（劣化後）」を示す曲線とに基づき、電池電圧区間１〜３を補正する。すなわち、「補正後負極電位」を示す曲線におけるステージ構造の境界線と「電池電圧（劣化後）」を示す曲線との交点を求めて電池電圧区間１〜３を補正し、記憶部７１に記憶されたデータテーブルを書き換える。
【００５１】  ステップＳ１１０において、コントローラ５０は、記憶部７１に記憶された累積劣化量をリセットしてステップＳ１０１に戻る。
【００５２】  上述の方法によれば、負極のステージ構造の変化に関する情報を取得することにより、劣化速度の推定精度を高めることができる。これにより、電池の劣化状態をより正確に推定することができる。
【００５３】  （変形例１）  図５のフローチャートでは、ステップＳ１０７において累積劣化量（評価パラメータ）がリミット値よりも高くなったときに電池電圧区間を補正したが、本発明はこれに限られるものではなく、劣化量の度合いを間接的に推定し得る他の評価パラメータを用いることもできる。
【００５４】  当該他の評価パラメータは、車両の走行距離であってもよい。この場合、車両の走行距離を計測して、走行距離が所定距離に達したときに電池電圧区間を補正する。当該所定距離が短くなると劣化速度の推定精度は向上し、当該所定距離が長くなると劣化速度の推定精度は低下する。したがって、当該所定距離は、要求される劣化速度の推定精度を予め定め、これに基づき設定すればよい。この場合、ステップＳ１０７において、リミット値としての前記所定距離と車両の走行距離とが比較される。
【００５５】  （変形例２）  変形例１における当該他の評価パラメータは、車両のイグニッションコイルがオンされた回数であってもよい。この場合、車両のイグニッションコイルがオンされた回数を検知して、当該検知回数が所定回数に達した時に電池電圧区間を補正する。当該所定回数が少なくなると劣化速度の推定精度は向上し、当該所定回数が多くなると劣化速度の推定精度は低下する。したがって、当該所定回数は、要求される劣化速度の推定精度を予め定め、これに基づき設定すればよい。この場合、ステップＳ１０７において、イグニッションコイルがオンされた回数と、リミット値としての前記所定回数とが比較される。変形例１及び２に示されるように、評価パラメータは、種々の観点で規定することが可能であり、劣化量と同一のパラメータに限定されるものではない。
【００５６】  （変形例３）  上述の実施形態では、図５のステップＳ１０８において総劣化量を更新したが、本発明はこれに限られるものではなく、他の方法であってもよい。図６は、図４に対応するグラフであり、電池容量が低下することにより負極電位が右側にシフトした状態を示す。上述の実施形態では、未使用のリチウムイオン電池１１、つまり初期負極電位を基準として、負極電位の曲線を総劣化量分だけシフトさせたが、本変形例では、劣化後のリチウムイオン電池の負極電位をベースとして、負極電位の曲線を累積劣化量分だけシフトさせる構成である。
【００５７】  具体的には、電池電圧区間が補正されると、補正後の電池電圧区間がベースデータ（ベース負極電位）として記憶部７１に記憶される。次回、電池電圧区間を補正する場合には、ベース負極電位の曲線を累積劣化量に相当する分だけシフトさせ、電池電圧区間を補正する。上記実施形態及び本変形例は、算出された累積劣化量を電池電圧区間の補正情報として用いる点で共通しており、補正時の基準となる負極電位の曲線が相違する。
【００５８】  （変形例４）  図５のフローチャートでは設定時間に達した時に劣化量を算出したが（ステップＳ１０４）、本発明はこれに限られるものではなく、電池電圧の変化が所定値を超えたときに、劣化速度とタイマーのカウント時間とを乗じて劣化量を算出するように構成してもよい。
【符号の説明】
【００５９】１  劣化速度判定装置      １０  組電池      １１  リチウムイオン電池１２  電池ブロック        ２０  インバータ      ３０  モータ４０  電圧センサ          ５０  コントローラ      ５１  イグニションスイッチ                ６０  温度センサ           ６１  電流センサ７１  記憶部              ７２  タイマー
【図１】
2012095894.tif 000003
【図２】
2012095894.tif 000004
【図３】
2012095894.tif 000005
【図４】
2012095894.tif 000006
【図５】
2012095894.tif 000007
【図６】
2012095894.tif 000008
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
蓄電量に応じてステージ構造が変化する負極を含むリチウムイオン電池の劣化速度を推定するリチウムイオン電池の劣化速度推定方法であって、
リチウムイオン電池の電池電圧に関する第１の情報を取得する第１のステップと、
リチウムイオン電池の電池温度に関する第２の情報を取得する第２のステップと、
各前記ステージ構造に対応するリチウムイオン電池の電圧区間、前記電池温度及び前記劣化速度の対応関係に関する第３の情報に基づき、前記第１の情報及び前記第２の情報から劣化速度を推定する第３のステップと、を有するリチウムイオン電池の劣化速度推定方法。
【請求項２】
（削除）
【請求項３】
前記第３のステップで推定された劣化速度から劣化量を算出する第４のステップと、
リチウムイオン電池の劣化量を評価する評価パラメータがリミット値を超えるまで、前記第４のステップで得られる劣化量を順次累積する第５のステップと、
前記第５のステップで得られた累積劣化量に基づき前記第３の情報における前記電圧区間を補正する第６のステップと、
を有する請求項１に記載のリチウムイオン電池の劣化速度推定方法。
【請求項４】
前記第３のステップにおいて、前記劣化速度を、予め定められた設定時間内に連続的に算出し、
前記第４のステップにおいて、これらの劣化速度の平均速度に前記設定時間を乗じた値を前記劣化量として算出することを特徴とする請求項３に記載のリチウムイオン電池の劣化速度推定方法。
【請求項５】
前記負極は、黒鉛系であることを特徴とする請求項１、３および４のうちいずれか一つに記載のリチウムイオン電池の劣化速度推定方法。
【請求項６】
蓄電量に応じてステージ構造が変化する負極を含むリチウムイオン電池の劣化速度を推定するリチウムイオン電池の劣化速度推定装置であって、
リチウムイオン電池の電池電圧に関する第１の情報を取得する第１の取得部と、
リチウムイオン電池の電池温度に関する第２の情報を取得する第２の取得部と、
各前記ステージ構造に対応するリチウムイオン電池の電圧区間、前記電池温度及び前記劣化速度の対応関係に関する第３の情報を記憶した記憶部と、
前記記憶部に記憶された前記第３の情報に基づき、前記第１の情報及び前記第２の情報から劣化速度を推定するコントローラと、を有するリチウムイオン電池の劣化速度推定装置。
【請求項７】
（削除）
【請求項８】
前記記憶部には、推定された劣化速度から算出される劣化量を順次累積した累積劣化量が記憶され、
前記コントローラは、リチウムイオン電池の劣化量を評価する評価パラメータがリミット値を超えるまで、前記記憶部に記憶される前記累積劣化量を更新し、更新後の前記累積劣化量に基づき前記第３の情報における前記電池電圧の区間を補正することを特徴とする請求項６に記載のリチウムイオン電池の劣化速度推定装置。
【請求項９】
前記コントローラは、前記劣化速度を、予め定められた設定時間内に連続的に算出し、これらの劣化速度の平均速度に前記設定時間を乗じた値を前記劣化量として算出することを特徴とする請求項８に記載のリチウムイオン電池の劣化速度推定装置。
【請求項１０】
前記負極は、黒鉛系であることを特徴とする請求項６、８および９のうちいずれか一つに記載のリチウムイオン電池の劣化速度推定装置。
【手続補正３】
【補正対象書類名】明細書
【補正対象項目名】０００１
【補正方法】変更
【補正の内容】
【０００１】
技術分野
［０００１］
本発明は、リチウムイオン電池の劣化速度を推定する推定方法等に関するものである。
背景技術
［０００２］
電気自動車、ハイブリッド自動車などの駆動用または補助電源として、リチウムイオン電池からなる蓄電装置が知られている。リチウムイオン電池は、充放電を繰り返すことにより電池容量が低下し、劣化する。リチウムイオン電池の劣化速度はアレニウスの法則に従うため、温度が高くなることによって劣化速度が増速する。
［０００３］
特許文献１は、リチウムイオン電池を一定の電力値で連続的に放電及び充電させる診断モードにおいて取得された前記リチウムイオン電池の電圧変化に関する情報に基づき前記リチウムイオン電池の劣化状態を判定するリチウムイオン電池の劣化判定方法を開示する。
先行技術文献
特許文献
［０００４］
［特許文献１］特開２０１０−０６０４０８号公報
発明の概要
発明が解決しようとする課題
［０００５］
しかしながら、リチウムイオン電池の温度情報だけでは、劣化速度を正確に推定することができない。そこで、本願発明は、リチウムイオン電池の劣化速度をより正確に推定することを目的とする。
課題を解決するための手段
［０００６］
上記課題を解決するために、本願発明に係るリチウムイオン電池の劣化速度推定方法は、（１）蓄電量に応じてステージ構造が変化する負極を含むリチウムイオン電池の劣化速度を推定するリチウムイオン電池の劣化速度推定
【手続補正４】
【補正対象書類名】明細書
【補正対象項目名】０００２
【補正方法】変更
【補正の内容】
【０００２】
方法であって、リチウムイオン電池の電池電圧に関する第１の情報を取得する第１のステップと、リチウムイオン電池の電池温度に関する第２の情報を取得する第２のステップと、各前記ステージ構造に対応するリチウムイオン電池の電圧区間、前記電池温度及び前記劣化速度の対応関係に関する第３の情報に基づき、前記第１の情報及び前記第２の情報から劣化速度を推定する第３のステップと、を有する。
［０００７］
［０００８］
（３）上記（１）の構成において、前記第３のステップで推定された劣化速度から劣化量を算出する第４のステップと、リチウムイオン電池の劣化量を評価する評価パラメータがリミット値を超えるまで、前記第４のステップで得られる劣化量を順次累積する第５のステップと、前記第５のステップで得られた累積劣化量に基づき前記第３の情報における前記電圧区間を補正する第６のステップと、を有する。電池電圧及び負極のステージ構造の関係は、リチウムイオン電池が劣化することにより変わるため、累積劣化量に基づき第３の情報を補正することにより、劣化速度の推定精度をさらに向上させることができる。
［０００９］
（４）上記（３）の構成において、前記第３のステップにおいて、前記劣化速度を、予め定められた設定時間内に連続的に算出し、前記第４のステップにおいて、これらの劣化速度の平均速度に前記設定時間を乗じた値を前記劣化量として算出することができる。
［００１０］
（５）上記（１）、（３）およひ（４）の構成において、黒鉛系の負極を用いることができる。黒鉛系の負極は、ステージ構造の変化が明確であるため、前記第３の情報を簡単に得ることができる。
【手続補正５】
【補正対象書類名】明細書
【補正対象項目名】０００３
【補正方法】変更
【補正の内容】
【０００３】
［００１１］
上記課題を解決するために、本願発明に係るリチウムイオン電池の劣化速度推定装置は、（６）蓄電量に応じてステージ構造が変化する負極を含むリチウムイオン電池の劣化速度を推定するリチウムイオン電池の劣化速度推定装置であって、リチウムイオン電池の電池電圧に関する第１の情報を取得する第１の取得部と、リチウムイオン電池の電池温度に関する第２の情報を取得する第２の取得部と、各前記ステージ構造に対応するリチウムイオン電池の電圧区間、前記電池温度及び前記劣化速度の対応関係に関する第３の情報を記憶した記憶部と、前記記憶部に記憶された前記第３の情報に基づき、前記第１の情報及び前記第２の情報から劣化速度を推定するコントローラと、を有する。
［００１２］
［００１３］
（８）上記（６）の構成において、前記記憶部には、推定された劣化速度から算出される劣化量を順次累積した累積劣化量が記憶され、前記コントローラは、リチウムイオン電池の劣化量を評価する評価パラメータがリミット値を超えるまで、前記記憶部に記憶される前記累積劣化量を更新し、更新後の前記累積劣化量に基づき前記第３の情報における前記電池電圧の区間を補正するとよい。電池電圧及び負極のステージ構造の関係は、リチウムイオン電池が劣化することにより変わるため、累積劣化量に基づき第３の情報を補正することにより、劣化速度の推定精度をさらに向上させることができる。
［００１４］
（９）上記（８）の構成において、前記コントローラは、前記劣化速度を、予め定められた設定時間内に連続的に算出し、これらの劣化速度の平均速度に前記設定時間を乗じた値を前記劣化量として算出することができる。
［００１５］
（１０）上記（６）、（８）および（９）の構成において、黒鉛系の負極を用いること
【手続補正６】
【補正対象書類名】明細書
【補正対象項目名】０００６
【補正方法】変更
【補正の内容】
【０００６】
［００２７］
本発明者は、リチウムイオン電池１１の負極のステージ構造と劣化速度との間に相関関係があることを発見した。すなわち、電池電圧が異なっていても、負極のステージ構造及び電池温度が同じである場合には、劣化速度のバラツキが非常に小さくなることを発見した。
［００２８］
図２を参照しながら、上記知見について詳細に説明する。図２は、負極のステージ構造と電池電圧との関係を示しており、未使用で劣化していないリチウムイオン電池１１を対象とした。同図において、横軸はリチウムイオン電池１１の電池容量を示し、縦軸は電位を示している。縦軸の右側の目盛は負極の電位に対応しており、左側の目盛は正極の電位及びリチウムイオン電池１１の電池電圧に対応している。リチウムイオン電池１１は下記の方法により製造した。
［００２９］
正極活物質のニッケルコバルトマンガン酸リチウムと導電材のアセチレンブラックとを、ポリフッ化ビニリデン（ＰＶＤＦ）とともにＮ−メチルピロリドン（ＮＭＰ）中で混合して、ペースト状の正極用組成物を調整した。この組成物に含まれる各材料（ＮＭＰを除く）の質量比は、正極活物質が８７質量％、アセチレンブラックが１０質量％、ＰＶＤＦが３質量％であった。この正極活用組成物を、正極集電体のアルミニウム箔の両面に塗布することにより、正極集電体の両面に正極活物質含有層を備えるシート状の正極（正極シート）を得た。
［００３０］
次に、得られた正極シートとグラファイトを導電箔上に塗布した負極シートとを、多孔質樹脂フィルムを挟んで対向させ、電極体を得た。得られた電極体及び非水系電解液を用いてリチウムイオン二次電池を作製した。電解液は、エチレンカーボネート（ＥＣ）、エチルメチルカーボネート（ＥＭＣ）及びジメチルカーボネート（ＤＭＣ）からなる混合溶媒に、支持塩を含むものを用いた。混合溶媒における混合比は、体積比率で、エチレンカーボネート（ＥＣ）：エチルメチルカーボネート（ＥＭＣ）：ジメチルカーボネート（ＤＭＣ）＝３：４：３とした。支持塩にはＬＩＰＦ６を使用し、これが約１ｍｏｌ／リットルの濃度で含まれるように濃度調整した。
［００３１］
ここで、黒鉛系の負極を用いた場合、リチウムは層状構造の黒鉛の層間に
【手続補正７】
【補正対象書類名】明細書
【補正対象項目名】０００７
【補正方法】変更
【補正の内容】
【０００７】
吸蔵される。リチウム吸蔵黒鉛は、ある特定の層ごとにリチウムを規則的に吸蔵したステージ構造をとる。例えば、ステージｎとはリチウムが吸蔵された層同士の間にリチウムを吸蔵していない層が（ｎ−１）層存在する状態を意味する。したがって、ｎの値はリチウムの吸蔵量に依存して変化する。なお、黒鉛系以外の負極を用いたリチウムイオン電池であっても、ステージ構造を特定できる。
［００３２］
図２を参照して、負極電位を示す曲線から延びる矢印は、負極のステージ構造が変化する境界を示しており、負極電位を示す曲線が屈曲して変化したときに、負極のステージ構造が変化する。そのため、リチウムイオン電池１１を充放電させて負極電位の変化を調べることにより、負極のステージ構造を特定することができる。本実施形態に係るリチウムイオン電池１１の負極は、蓄電量が高い側からステージ１、ステージ２及びステージ３の順序でステージ構造が変化する。
［００３３］
温度が同一であって、かつ、負極のステージ構造が同じである場合には、リチウムイオン電池１１の劣化速度は同じ（誤差を含む）であり、負極のステージ構造が変化することにより、リチウムイオン電池１１の劣化速度は変化する。したがって、各ステージ１〜３に対応する負極電位の電位区間を調べることにより、リチウムイオン電池１１の劣化速度を推定することができる。
［００３４］
しかしながら、上述の組電池１０では、ブロック電圧を測定する構成であるため、負極電位を直接測定することができない。この場合、負極電位と電池電圧との関係を予め実験或いはシミュレーションにより調べておくことにより、測定された電池電圧から負極のステージ構造を特定することができる。さらに、電池電圧、電池温度及び劣化速度の対応関係を予め実験或いはシミュレーションにより調べておくとともに、これらの情報（以下、劣化速度推定情報（第３の情報）という）を記憶部７１に記憶させておくことにより、劣化速度を正確に推定することができる。
［００３５］
すなわち、図２に図示するように、負極の各ステージ構造に対応する電池
【手続補正８】
【補正対象書類名】明細書
【補正対象項目名】０００８
【補正方法】変更
【補正の内容】
【０００８】
電圧の電圧区間を予め調べ、これらの電池電圧区間毎に電池温度及び劣化速度を対応付けた前記劣化速度推定情報をデータとして保持しておくことにより、劣化速度を正確に推定することができる。本実施形態における電池電圧区間は、電池電圧区間１〜３によって構成される。
［００３６］
ここで、劣化速度推定情報のデータ形式は、データテーブルであってもよい。図３は記憶部７１に記憶されるデータテーブルの一例である。本実施形態では、５℃間隔で各電池電圧区間１〜３における劣化速度を規定している。ただし、温度間隔は５℃に限定されるものではなく、例えば１℃間隔で劣化速度を規定してもよい。
［００３７］
また、劣化速度推定情報のデータ形式は、劣化速度を算出するための関数プログラムであってもよい。この場合、各電池電圧区間１〜３についてそれぞれ電池電圧及び電池温度を変数とする関数プログラムを設けるとともに、これらの関数プログラムを記憶部７１に記憶する。コントローラ５０は、関数プログラムを解読することにより、劣化速度を算出する。ここで、劣化速度及び電池温度の関係はアレニウスの法則により規定されるため、前記関数プログラムはアレニウスの法則に従ってプログラミングするとよい。
［００３８］
ここで、図２に示す負極電位は、電池容量が低下（電池が劣化）することにより右側にシフトする。図４は、図２に対応するグラフであり、電池が低下することにより負極電位が右側にシフトした状態を示す。
［００３９］
図４において、「ベース負極電位」と称する曲線は未使用のリチウムイオン電池１１の負極電位を示しており、「補正後負極電位」と称する曲線は劣化後のリチウムイオン電池１１の負極電位を示している。また、「電池電圧（劣化前）」と称する曲線は未使用のリチウムイオン電池１１の電池電圧を示しており、「電池電圧（劣化後〕」と称する曲線は劣化後のリチウムイオン電池１１の電池電圧を示している。
［００４０］
「ベース負極電位」及び「補正後負極電位」の曲線を対比すると、リチウムイオン電池１１が劣化した場合、負極電位を示す曲線は形状を変えることなく右側にシフトすることがわかる。また、「電池電圧（劣化前）」及び「
【手続補正９】
【補正対象書類名】明細書
【補正対象項目名】０００９
【補正方法】変更
【補正の内容】
【０００９】
電池電圧（劣化後）」の曲線を対比すると、リチウムイオン電池１１が劣化した場合、電池電圧を示す曲線も変化することがわかる。したがって、リチウムイオン電池１１が劣化した場合には、負極の各ステージ構造に対応する電池電圧区間１〜３を補正することにより、さらに劣化速度の推定精度を向上させることができる。
［００４１］
次に、図５のフローチャートを参照しながら、電池電圧区間１〜３を補正する補正方法について説明する。本フローチャートにおいて、累積劣化量とは劣化量の累積値であり、リミット値を超えるまでに積算された劣化量の総和を意味する。総劣化量とは累積劣化量の総和を意味する。説明の便宜上、ステップＳ１０２から説明する。
［００４２］
ステップＳ１０２において、コントローラ５０は、温度センサ６０により取得される電池温度及び電圧センサ４０Ａ〜４０Ｎにより取得される電池電圧を、所定周期で記憶部７１に記憶し、さらに、タイマー７２をスタートさせる。
［００４３］
ここで、記憶部７１に記憶される電池電圧は、電圧センサ４０Ａ〜４０Ｎから出力される電圧値の総和、つまり、組電池１０の電圧値をリチウムイオン電池１１の個数で除したセル電圧値であってもよい。以下の説明では、このセル電圧値を電池電圧と称するものとする。また、当該所定周期は、後述する設計時間よりも短く、例えば、１ｓｅｃであってもよい。なお、記憶部７１には累積劣化量と、総劣化量とが記憶されている。
［００４４］
ステップＳ１０３において、コントローラ５０は、記憶部７１に記憶されたデータテーブルを参照して、ステップＳ１０２において検出された電池電圧及び電池温度に基づき、劣化速度を検索する。検索された劣化速度は、記憶部７１に順次記憶される。
［００４５］
ステップＳ１０４において、コントローラ５０は、タイマー７２によるカウント時間が予め定められた設定時間に達したか否かを判定する。ここで、設定時間は１ｈｏｕｒであってもよい。ステップＳ１０４において、カウント時間が設定時間に達した場合にはステップＳ１０５に進み、カウント時間
【手続補正書】
【提出日】平成26年3月10日(2014.3.10)
【手続補正１】
【補正対象書類名】特許請求の範囲
【補正対象項目名】全文
【補正方法】変更
【補正の内容】
【特許請求の範囲】
【請求項１】
蓄電量に応じてステージ構造が変化する負極を含むリチウムイオン電池の劣化速度を推定するリチウムイオン電池の劣化速度推定方法であって、
リチウムイオン電池の電池電圧に関する第１の情報を取得する第１のステップと、
リチウムイオン電池の電池温度に関する第２の情報を取得する第２のステップと、
各前記ステージ構造に対応するリチウムイオン電池の電圧区間、前記電池温度及び前記劣化速度の対応関係に関する第３の情報に基づき、前記第１の情報及び前記第２の情報から劣化速度を推定する第３のステップと、を有するリチウムイオン電池の劣化速度推定方法。
【請求項２】
前記第３のステップで推定された劣化速度から劣化量を算出する第４のステップと、
リチウムイオン電池の劣化量を評価する評価パラメータがリミット値を超えるまで、前記第４のステップで得られる劣化量を順次累積する第５のステップと、
前記第５のステップで得られた累積劣化量に基づき前記第３の情報における前記電圧区間を補正する第６のステップと、
を有する請求項１に記載のリチウムイオン電池の劣化速度推定方法。
【請求項３】
前記第３のステップにおいて、前記劣化速度を、予め定められた設定時間内に連続的に算出し、
前記第４のステップにおいて、これらの劣化速度の平均速度に前記設定時間を乗じた値を前記劣化量として算出することを特徴とする請求項２に記載のリチウムイオン電池の劣化速度推定方法。
【請求項４】
前記負極は、黒鉛系であることを特徴とする請求項１乃至３のうちいずれか一つに記載のリチウムイオン電池の劣化速度推定方法。
【請求項５】
蓄電量に応じてステージ構造が変化する負極を含むリチウムイオン電池の劣化速度を推定するリチウムイオン電池の劣化速度推定装置であって、
リチウムイオン電池の電池電圧に関する第１の情報を取得する第１の取得部と、
リチウムイオン電池の電池温度に関する第２の情報を取得する第２の取得部と、
各前記ステージ構造に対応するリチウムイオン電池の電圧区間、前記電池温度及び前記劣化速度の対応関係に関する第３の情報を記憶した記憶部と、
前記記憶部に記憶された前記第３の情報に基づき、前記第１の情報及び前記第２の情報から劣化速度を推定するコントローラと、を有するリチウムイオン電池の劣化速度推定装置。
【請求項６】
前記記憶部には、推定された劣化速度から算出される劣化量を順次累積した累積劣化量が記憶され、
前記コントローラは、リチウムイオン電池の劣化量を評価する評価パラメータがリミット値を超えるまで、前記記憶部に記憶される前記累積劣化量を更新し、更新後の前記累積劣化量に基づき前記第３の情報における前記電池電圧の区間を補正することを特徴とする請求項５に記載のリチウムイオン電池の劣化速度推定装置。
【請求項７】
前記コントローラは、前記劣化速度を、予め定められた設定時間内に連続的に算出し、
これらの劣化速度の平均速度に前記設定時間を乗じた値を前記劣化量として算出することを特徴とする請求項６に記載のリチウムイオン電池の劣化速度推定装置。
【請求項８】
前記負極は、黒鉛系であることを特徴とする請求項５乃至７のうちいずれか一つに記載のリチウムイオン電池の劣化速度推定装置。
【手続補正２】
【補正対象書類名】明細書
【補正対象項目名】０００８
【補正方法】変更
【補正の内容】
【０００８】
（２）上記（１）の構成において、前記第３のステップで推定された劣化速度から劣化量を算出する第４のステップと、リチウムイオン電池の劣化量を評価する評価パラメータがリミット値を超えるまで、前記第４のステップで得られる劣化量を順次累積する第５のステップと、前記第５のステップで得られた累積劣化量に基づき前記第３の情報における前記電圧区間を補正する第６のステップと、を有する。電池電圧及び負極のステージ構造の関係は、リチウムイオン電池が劣化することにより変わるため、累積劣化量に基づき第３の情報を補正することにより、劣化速度の推定精度をさらに向上させることができる。
【手続補正３】
【補正対象書類名】明細書
【補正対象項目名】０００９
【補正方法】変更
【補正の内容】
【０００９】
（３）上記（２）の構成において、前記第３のステップにおいて、前記劣化速度を、予め定められた設定時間内に連続的に算出し、前記第４のステップにおいて、これらの劣化速度の平均速度に前記設定時間を乗じた値を前記劣化量として算出することができる。
【手続補正４】
【補正対象書類名】明細書
【補正対象項目名】００１０
【補正方法】変更
【補正の内容】
【００１０】
（４）上記（１）〜（３）の構成において、黒鉛系の負極を用いることができる。黒鉛系の負極は、ステージ構造の変化が明確であるため、前記第３の情報を簡単に得ることができる。
【手続補正５】
【補正対象書類名】明細書
【補正対象項目名】００１１
【補正方法】変更
【補正の内容】
【００１１】
上記課題を解決するために、本願発明に係るリチウムイオン電池の劣化速度推定装置は、（５）蓄電量に応じてステージ構造が変化する負極を含むリチウムイオン電池の劣化速度を推定するリチウムイオン電池の劣化速度推定装置であって、リチウムイオン電池の電池電圧に関する第１の情報を取得する第１の取得部と、リチウムイオン電池の電池温度に関する第２の情報を取得する第２の取得部と、各前記ステージ構造に対応するリチウムイオン電池の電圧区間、前記電池温度及び前記劣化速度の対応関係に関する第３の情報を記憶した記憶部と、前記記憶部に記憶された前記第３の情報に基づき、前記第１の情報及び前記第２の情報から劣化速度を推定するコントローラと、を有する。
【手続補正６】
【補正対象書類名】明細書
【補正対象項目名】００１３
【補正方法】変更
【補正の内容】
【００１３】
（６）上記（５）の構成において、前記記憶部には、推定された劣化速度から算出される劣化量を順次累積した累積劣化量が記憶され、前記コントローラは、リチウムイオン電池の劣化量を評価する評価パラメータがリミット値を超えるまで、前記記憶部に記憶される前記累積劣化量を更新し、更新後の前記累積劣化量に基づき前記第３の情報における前記電池電圧の区間を補正するとよい。電池電圧及び負極のステージ構造の関係は、リチウムイオン電池が劣化することにより変わるため、累積劣化量に基づき第３の情報を補正することにより、劣化速度の推定精度をさらに向上させることができる。
【手続補正７】
【補正対象書類名】明細書
【補正対象項目名】００１４
【補正方法】変更
【補正の内容】
【００１４】
（７）上記（６）の構成において、前記コントローラは、前記劣化速度を、予め定められた設定時間内に連続的に算出し、これらの劣化速度の平均速度に前記設定時間を乗じた値を前記劣化量として算出することができる。
【手続補正８】
【補正対象書類名】明細書
【補正対象項目名】００１５
【補正方法】変更
【補正の内容】
【００１５】
（８）上記（５）〜（７）の構成において、黒鉛系の負極を用いることができる。黒鉛系の負極は、ステージ構造の変化が明確であるため、前記第３の情報を簡単に得ることができる。
【国際調査報告】
2012095894.tif 000009
2012095894.tif 000010
2012095894.tif 000011